(57)【要約】【課題】太い電線から細い電線まで幅広く電線癖を良好に除去することが可能な電線癖除去方法及び電線癖除去装置を提供する。【解決手段】電線の曲がり癖や巻き癖を矯正ローラにより矯正して除去する電線癖除去装置であって、電線Ｗの進行方向上流側に配置され外径寸法の大きい矯正ローラ２１，２６を有し電線を大きく屈曲させてしごく第１の電線癖除去装置１２と、第１の電線癖除去装置の下流側に配置され外径寸法の小さい矯正ローラ３１，３６を有し第１の電線癖除去装置の大きい矯正ローラで電線に付いた変形を矯正する第２の電線癖除去装置１３とを備えた構成としたものである。【選択図】図１
2007229745.tif 000002
【特許請求の範囲】
【請求項１】
電線の曲がり癖や巻き癖を矯正ローラにより矯正して除去する電線癖除去方法であって、
前記電線の進行方向に対して前記電線に順次大きな屈曲から小さな屈曲を与えて矯正することを特徴とする電線癖除去方法。
【請求項２】
前記電線の矯正は外径寸法の大きい矯正ローラにより前記電線を大きく屈曲させた後外径寸法の小さい矯正ローラにより前記大きい矯正ローラで前記電線についた変形を矯正することを特徴とする、請求項１に記載の電線癖除去方法。
【請求項３】
電線の曲がり癖や巻き癖を矯正ローラにより矯正して除去する電線癖除去装置であって、
前記電線の進行方向上流側に配置され外径寸法の大きい矯正ローラを有し前記電線を大きく屈曲させてしごく第１の電線癖除去装置と、
前記第１の電線癖除去装置の下流側に配置され外径寸法の小さい矯正ローラを有し前記第１の電線癖除去装置の大きい矯正ローラで前記電線についた変形を矯正する第２の電線癖除去装置とを備えたことを特徴とする電線癖除去装置。
【請求項４】
電線の曲がり癖や巻き癖を矯正ローラにより矯正して除去する電線癖除去装置であって、
前記電線の進行方向上流側に配置され外径寸法の大きい矯正ローラを有し電線を大きく屈曲させる第１の電線癖除去装置と、
前記第１の電線癖除去装置の下流側に配置され前記第１の電線除去装置の矯正ローラよりも外径寸法の小さい矯正ローラを有し前記第１の電線癖除去装置の矯正ローラで前記電線についた変形を矯正する第２の電線癖除去装置と、
前記第２の電線癖除去装置の下流側に配置され前記第２の電線除去装置の矯正ローラよりも外径寸法の小さい矯正ローラを有し前記第２の電線癖除去装置の矯正ローラで前記電線についた変形を矯正する第３の電線癖除去装置とを備えたことを特徴とする電線癖除去装置。
【発明の詳細な説明】
【技術分野】
【０００１】
本発明は、電線の曲がり癖や巻き癖等を矯正して直線状に整形する電線癖除去方法及び電線癖除去装置に関する。
【背景技術】
【０００２】
電線の端末に自動圧着機により圧着端子を取り付ける場合予め電線癖除去装置（ストレートナー）により電線の曲がり癖や巻き癖等を矯正して直線状に整形している。図9は、従来の電線癖除去装置の一例を示し、電線癖除去装置２は、フレーム１上に設置された支持体３に電線Ｗの進行方向に沿って間隔を存して軸装された複数例えば２の矯正ローラ（ストレートナーの玉）４と、支持体３の直上にばね６で下方へ付勢してガイド杆７に沿い昇降自在に嵌装された保持体５と、各矯正ローラ４と電線の進行方向にずれて位置し保持体５に電線Ｗを押圧するように軸装された複数例えば２つの矯正ローラ８とを備え、これら上下の複数の矯正ローラ４と８との間に電線Ｗを通すことによりその曲がり癖や巻き癖を矯正するようにしている（例えば、特許文献参照）。
【０００３】
そして、1台の電線癖除去装置２では電線癖が十分に矯正できない場合は図示のように同じ構成の電線癖除去装置２を直列に例えば２台配置して電線Ｗの矯正能力を向上させていた。そして、２台の電線癖矯正装置２では電線癖が矯正できない場合はさらに電線癖除去装置２を増設している。なお、図中矯正ローラ４，８は、電線Ｗと接触する外周面が断面円弧状をなす凹溝とされているが分かり易くするために単なる円として描いてある。
【特許文献１】実開平６−９０８７号公報（３乃至４ページ、図４）
【発明の開示】
【発明が解決しようとする課題】
【０００４】
しかしながら、上記図９に示すように矯正ローラ４，８の外径寸法が同一の電線癖除去装置２を複数台配置して電線癖を矯正して除去する場合多くの電線癖除去装置群を配置する必要があり、設置スペースが大きくなってしまうと共に設備費が増大する。
【０００５】
また、複数台例えば２台の電線癖除去装置を使用しても電線癖の除去能力により電線を真直ぐに矯正することができない場合もあった。電線を十分に矯正することができないと電線の切断・被覆のストリップ・圧着端子の圧着等ができない場合があり、歩留まりを低下させる要因の一つとなっていた。このため、さらに電線癖除去装置を増設する必要があった。
【０００６】
さらに、従来の電線癖除去装置は、太い電線から細い電線まで幅広く電線癖を除去することが難しく、外径が太い電線の場合は矯正ローラの外径を大きくしたものを使用し、細い径の電線の場合は矯正ローラの外径を小さくしたものを使用して電線径に応じた外径の矯正ローラを備えた電線癖除去装置を使用しているために作業性が悪い。また、電線癖除去装置が自動圧着端子機における電線供給装置に組み込まれている場合には電線径に応じてその都度電線癖除去装置を変更することは極めて困難である。
【０００７】
本発明は上述の点に鑑みてなされたもので、太い電線から細い電線まで幅広く電線癖を良好に除去することが可能な電線癖除去方法及び電線癖除去装置を提供することを目的とする。
【課題を解決するための手段】
【０００８】
上記目的を達成するために本発明に係わる電線癖除去方法は、電線の曲がり癖や巻き癖を矯正ローラにより矯正して除去する電線癖除去方法であって、前記電線の進行方向に対して前記電線に順次大きな屈曲から小さな屈曲を与えて矯正することを特徴としている。
【０００９】
また、本発明の請求項２に記載の電線癖除去方法は、請求項１に記載の電線癖除去方法において、前記電線の矯正は外径寸法の大きい矯正ローラにより前記電線を大きく屈曲させた後外径寸法の小さい矯正ローラにより前記大きい矯正ローラで前記電線についた変形を矯正することを特徴としている。
【００１０】
矯正すべき電線の進行方向から外形寸法の大きい矯正ローラにより大きい屈曲を与えて電線の曲がり癖や巻き癖を矯正する。電線は、大きく屈曲させたことにより多少変形されてしまう。次いで、外形寸法の小さい矯正ローラにより外形寸法の大きい矯正ローラで付けられた電線の変形を矯正する。これにより、電線の曲がり癖や巻き癖を除去することができ、電線を略真っ直ぐに矯正することができる。
【００１１】
また、本発明の請求項３に記載の電線癖除去装置は、電線の曲がり癖や巻き癖を矯正ローラにより矯正して除去する電線癖除去装置であって、前記電線の進行方向上流側に配置され外径寸法の大きい矯正ローラを有し前記電線を大きく屈曲させてしごく第１の電線癖除去装置と、前記第１の電線癖除去装置の下流側に配置され外径寸法の小さい矯正ローラを有し前記第１の電線癖除去装置の大きい矯正ローラで前記電線についた変形を矯正する第２の電線癖除去装置とを備えたことを特徴としている。
【００１２】
第１の電線癖除去装置は、外形寸法の大きい矯正ローラにより矯正すべき電線を大きく屈曲させて当該電線をしごいて矯正する。これにより、電線の曲がり癖や巻き癖が矯正される。このとき電線を大きく屈曲させたために矯正ローラで当該電線を多少変形させてしまっている。次に、第２の電線癖除去装置の外形寸法の小さい矯正ローラにより電線に付いた変形を矯正する。これにより、電線の曲がり癖や巻き癖を良好に除去し、略真っ直ぐに矯正することができる。
【００１３】
また、本発明の請求項４に記載の電線癖除去装置は、電線の曲がり癖や巻き癖を矯正ローラにより矯正して除去する電線癖除去装置であって、前記電線の進行方向上流側に配置され外径寸法の大きい矯正ローラを有し電線を大きく屈曲させる第１の電線癖除去装置と、前記第１の電線癖除去装置の下流側に配置され前記第１の電線除去装置の矯正ローラよりも外径寸法の小さい矯正ローラを有し前記第１の電線癖除去装置の矯正ローラで前記電線についた変形を矯正する第２の電線癖除去装置と、前記第２の電線癖除去装置の下流側に配置され前記第２の電線除去装置の矯正ローラよりも外径寸法の小さい矯正ローラを有し前記第２の電線癖除去装置の矯正ローラで前記電線についた変形を矯正する第３の電線癖除去装置とを備えたことを特徴としている。
【００１４】
矯正すべき電線が太い場合は第１の電線癖除去装置の外形寸法の大きい矯正ローラにより矯正すべき電線を大きく屈曲させて当該電線をしごいて矯正する。これにより、電線の曲がり癖や巻き癖が矯正される。次に、第２の電線癖除去装置の外形寸法の小さい矯正ローラにより第１の電線癖除去装置の大きい矯正ローラで電線に付いた変形を矯正する。
【００１５】
矯正すべき電線が細い場合当該電線は、第１の電線癖除去装置及び第２の電線癖除去装置の各矯正ローラを擦り抜けてしまい矯正に必要な荷重を付与することができない。しかしながら、第２の電線癖除去装置の矯正ローラよりもさらに外形寸法が小さい矯正ローラを備えた第３の電線癖除去装置により第１、第２の電線癖除去装置を擦り抜けた電線を矯正してその曲がり癖や巻き癖を除去する。これにより、細い電線でも略真っ直ぐに矯正することができる。このように、異径ローラを組合せて矯正を行うことにより太い電線から細い電線まで幅広く電線癖を除去することができる。
【発明の効果】
【００１６】
本発明によると、電線進行方向に矯正ローラの外径を大きいものから小さいものへ組み合わせて大きな屈曲から小さな屈曲を与えることで、電線癖除去能力が大幅に向上し太い電線から細い電線まで幅広く電線癖を良好に除去することができる。また、使用する電線除去装置の台数を少なくすることができ、省スペース化、設備費の低減を図ることが可能である。
【００１７】
さらに、従来では矯正することができなかった細い径の電線も十分に矯正することができ、電線の切断・被覆のストリップ・圧着端子の圧着等における不良品が少なくなり歩留まりを向上させることができる。
【発明を実施するための最良の形態】
【００１８】
以下、本発明の最良の実施形態を図面に基づいて詳細に説明する。図１は、本発明に係わる電線癖除去装置の概略構成を示し、電線癖除去装置１１は、第１の電線癖除去装置１２と第２の電線癖除去装置１３とを備えた構成とされている。第１の電線癖除去装置１２は、矯正すべき電線Ｗの矢印で示す進行（搬送）方向上流側に配置され、第２の電線癖除去装置１３は、第１の電線癖除去装置１２の直ぐ下流側に配置されている。
【００１９】
第１の電線癖除去装置１２は、電線Ｗに大きな屈曲を与えて矯正するためのもので、フレーム１上に設置された支持体２０と、図２に示すように支持体２０の一側部２０ａの上部位置に電線Ｗの移動方向（前後方向）に沿って間隔を存して軸装された複数例えば２つの矯正ローラ（ストレートナーの玉）２１と、支持体２０の上面前後位置に垂設されたガイド杆２２と、これらのガイド杆２２を介して水平に昇降可能に配置された保持体２３と、前後両端部が前後のガイド杆２２の上端部に固定された支持部材２４と、支持部材２４の下面中央と保持体２３の対向する上面中央との間に設けられて保持体２３を下方に付勢して電線Ｗに荷重を付与する荷重付与手段２５と、保持体２３の一側部２３ａの下部位置に電線Ｗの移動方向に沿って矯正ローラ２１と交互に間隔を存して配置された複数例えば２つの矯正ローラ２６が軸装されている。
【００２０】
矯正ローラ２１，２６は、同一の寸法形状とされ、外周面に例えば図２に示すような断面が円弧状（Ｕ字状）の凹溝２１ａ，２６ａが形成され、凹溝２1ａ，２６ａの底部の直径（以下「矯正ローラ２１，２６の外径」という）が電線Ｗの外径に対して十分に大きく設定されている。そして、下側の矯正ローラ２1と上側の矯正ローラ２６との間に電線Ｗを通して矢印方向に進行させる。なお、図１において矯正ローラ２１，２６は、電線Ｗが凹溝２１ａ，２６ａの底部と接触している状態を示しかつ図面の煩雑を避けるためにハッチングを省略してある。
【００２１】
荷重付与手段２５は、上端部が支持部材２４に支持され、下端部が保持体２３の上面に穿設された軸穴に摺動可能に嵌挿された支持軸としてのねじ棒２７と、ねじ棒２７に螺合された調整用ナット２８と、ねじ棒２７の外側に同心的に配置されかつ保持体２３の上面と調整用ナット２８との間に縮設されたばね２９とにより構成されている。そして、ばね２９のばね力により保持体２３を下方に付勢して下側の矯正ローラ２１と上側の矯正ローラ２６とにより電線Ｗに荷重を付与する。また、ばね２９のばね力（荷重）は、調整用ナット２８により調整可能とされている。
【００２２】
第２の電線癖除去装置１３は、第１の電線癖除去装置１２の矯正ローラ２１，２６により大きく屈曲されて電線Ｗに付いた変形（癖）を矯正して除去するためのもので、フレーム１上に設置された支持体３０と、この支持体３０の一側部（図２に示す支持体２０の一側部２０ａと同じ側）の上部位置に電線Ｗの移動方向（前後方向）に沿って間隔を存して軸装された複数例えば４つの矯正ローラ（ストレートナーの玉）３１と、支持体３０の上面前後位置に垂設されたガイド杆３２と、これらのガイド杆３２を介して水平に昇降可能に配置された保持体３３と、前後両端部が前後のガイド杆３２の上端部に固定された支持部材３４と、支持部材３４下面中央と保持体３３の対向する上面中央との間に設けられて保持体３３を下方に付勢する荷重付与手段３５と、保持体３３の一側部の下部位置に電線Ｗの移動方向に沿って矯正ローラ３１と交互に間隔を存して配置された複数例えば４つの矯正ローラ３６が軸装されている。
【００２３】
矯正ローラ３１，３６は、同一の寸法形状とされ、外周面に前記矯正ローラ２１，２６と同様に断面が円弧状（Ｕ字状）の凹溝が形成され、回転中心を通るこれらの凹溝底部の直径（以下「矯正ローラ３１，３６の外径」という）が矯正ローラ２１，２６の外径よりも十分に小さく設定されている。そして、下側の矯正ローラ３１と上側の矯正ローラ３６との間に電線Ｗを通して矢印方向に進行させる。なお、図１において矯正ローラ３１，３６は、矯正ローラ２１，２６と同様に電線Ｗが凹溝底部と接触している状態を示しかつ図面の煩雑を避けるためにハッチングを省略してある。荷重付与手段３５は、荷重付与手段２５と同様に構成されており対応する符号を付して説明を省略する。
【００２４】
このようにして、矯正ローラの外形寸法が異なる電線癖除去装置１２，１３を電線Ｗの進行方向に対して外径の大きい矯正ローラ２１，２６から外径の小さい矯正ローラ３１，３６の順番に配置して電線Ｗを矢印方向に進行させる。なお、第１の電線癖除去装置１２の矯正ローラ２１，２６及び第２の電線癖除去装置１３の矯正ローラ３１，３６の外形寸法は、矯正すべき電線Ｗの太さにより設定される。
【００２５】
以下に上記構成の電線癖除去装置１１の作用を説明する。矯正すべき電線Ｗが太い場合第１の電線癖除去装置１２は、外形寸法の大きい矯正ローラ２１，２６により電線Ｗを大きく屈曲させて当該電線Ｗをしごいて矯正する。これにより、電線Ｗの曲がり癖や巻き癖が矯正される。しかし、電線Ｗを大きく屈曲させたために矯正ローラ２１，２６で当該電線Ｗを多少変形させてしまっている。次に、第２の電線癖除去装置１３の外形寸法の小さい矯正ローラ３１，３６により電線Ｗに付いた変形（癖）を矯正する。これにより、電線Ｗの曲がり癖や巻き癖を良好に除去し、略真っ直ぐに矯正することができる。
【００２６】
また、矯正すべき電線が上述した電線Ｗよりも細い電線（以下「電線Ｗ’」という）である場合第１の電線癖除去装置１２は、外形寸法が大きい矯正ローラ２１，２６を電線Ｗ’が擦り抜ける状態で進行するために矯正に必要な荷重を付与することができない。従って、電線Ｗ’は、余り矯正されない状態で第２の電線癖除去装置１３へと進行する。第２の電線癖除去装置１３は、外径寸法が矯正ローラ２１，２６よりも小さい矯正ローラ３１，３６により前記電線Ｗ’を矯正してその曲がり癖や巻き癖を除去する。これにより、電線Ｗ’を略真っ直ぐに矯正することができる。これにより、太い電線Ｗから細い電線Ｗ’まで幅広く電線癖を除去することが可能である。
【００２７】
矯正すべき電線が上述した電線Ｗ’よりもさらに細い電線（以下「電線Ｗ”」という）である場合当該電線Ｗ”は、第１の電線癖除去装置１２の矯正ローラ２１，２６は勿論のこと第２の電線癖除去装置１３の矯正ローラ３１，３６も擦り抜けてしまい矯正に必要な荷重を付与することができない。
【００２８】
このような場合には、図３に示すように第２の電線癖除去装置１３の下流側に矯正ローラ３１，３６よりも更に外形寸法が小さい矯正ローラ４１，４６を備えた第３の電線癖除去装置１４を設け、これらの矯正ローラ４１，４６により第１、第２の電線癖除去装置１２，１３を擦り抜けた電線Ｗ”を矯正してその曲がり癖や巻き癖を除去する。これにより、細い電線Ｗ”でも略真っ直ぐに矯正することができる。なお、第３の電線癖除去装置１４は、第１、第２の電線癖除去装置１２，１３と同様に構成されており、対応する符号を付して詳細な説明を省略する。
【００２９】
なお、第１の電線癖除去装置１２の矯正ローラ２１，２６、第２の電線癖除去装置１３の矯正ローラ３１，３６及び第３の電線矯正装置１４の矯正ローラ４１，４６の各外形寸法は、矯正すべき電線の太さの範囲により設定される。
【００３０】
図４は、上述した図１及び図３に示す電線癖除去装置１２〜１４を纏めて太い電線から細い電線まで広範囲に亘り矯正することが可能な電線癖除去装置１５の概略構成を示し、電線Ｗの進行方向に対し大きい屈曲を与える第１の電線癖除去装置１６、中程度の屈曲を与える第２の電線癖除去装置１７、小さい屈曲を与える第３の電線癖除去装置１８を備えたものである。
【００３１】
この場合、第１の電線癖除去装置１６及び第２の電線癖除去装置１７は、図１及び図３に示す第１の電線癖除去装置１２及び第２の電線癖除去装置１３に相当し、第３の電線癖除去装置１８は、図３に示す第３の電線癖除去装置１４に相当している。また、第１の電線癖除去装置１６の矯正ローラを符号５１，５２で示し、第２の電線癖除去装置１７の矯正ローラを符号５４，５５で示し、第３の電線癖除去装置１８の矯正ローラを符号５７，５８で示してある。
【００３２】
図４に示す第１の電線癖除去装置１６は、電線Ｗに大きな屈曲を付与することができれば良く、従って、上側の２つの矯正ローラ５２，５２の間に配置された下側の矯正ローラ５１の外形寸法は、矯正ローラ５２の外形寸法より小さくても屈曲が大きくなるようにすれば良い。勿論、矯正ローラ５１を２点鎖線で示すように矯正ローラ５２と同じ大きさにしても良い。また、上述と反対に下側の矯正ローラ５１の外形寸法を大きくし、上側の矯正ローラ５２の外形寸法を小さくしても良い。
【００３３】
なお、上述した各矯正ローラの形状は、図２に示すように外周面に断面が円弧状（Ｕ字状）の凹溝を形成するに限るものではなく、図５に示すように矯正ローラ６１の外周面に断面が略Ｖ字形状をなすＶ溝６１ａを形成しても良い。また、図６に示すように一側にフランジ６２ａを有するベアリング６２を２つ対向させて配置し、両側のフランジ６２ａとベアリング本体外周面６２ｂとにより凹溝を形成してボルト６３によりカラー６４を介して支持体２０や保持体２３に軸装するようにしても良い。
【００３４】
さらに、矯正ローラの形状は、円形（真円）に限るものではなく、図７に示すように楕円形状の矯正ローラ６５でも良く、或いは図８に示すように正三角形の各頂部を円弧状に形成した略おむすび形状の矯正ローラ６６としても良い。なお、これらの矯正ローラ６５，６６の外周面には点線で示すように断面円弧状（Ｕ字状）の凹溝６５ａ，６６ａが形成されている。
【００３５】
また、電線Ｗに荷重を付与する荷重付与手段２５としてばね２９を使用したが、これに限るものではなく、エアシリンダを使用しても良く、或いはゴム部材を使用しても良い。また、荷重を変更せずに固定としても良い。さらに、荷重付与手段を使用せず上下の矯正ローラの上下方向の軸間距離（隙間寸法）を調整するようにしても良い。
【図面の簡単な説明】
【００３６】
【図１】本発明に係わる電線癖除去装置の構成図である。
【図２】図１に示した電線癖除去装置の矢線II方向から見た端面図である。
【図３】本発明に係わる電線癖除去装置の他の構成図である。
【図４】本発明に係わる電線癖除去装置の他の構成図である。
【図５】図１に示した矯正ローラの変形例を示す説明図である。
【図６】図１に示した矯正ローラの変形例を示す説明図である。
【図７】図１に示した矯正ローラの変形例を示す説明図である。
【図８】図１に示した矯正ローラの変形例を示す説明図である。
【図９】従来の電線癖矯正装置の構成図である。
【符号の説明】
【００３７】
１    フレーム
２    電線癖除去装置
３    支持体
４，８    矯正ローラ
５    保持体
６    ばね
７    ガイド杆
１１，１５    電線癖除去装置
１２，１６    第１の電線癖除去装置
１３，１７    第２の電線癖除去装置
１４，１８    第３の電線癖除去装置
２０，３０，４０    支持体
２０ａ    一側部
２１，２６，３１，３６，４１，４６    矯正ローラ
２１ａ，２６ａ    凹溝
２２，３２    ガイド杆
２３，３３，４３    保持体
２３ａ    一側部
２４，３４    支持部材
２５，３５    荷重付与手段
２７，３７    ねじ棒
２８，３８    調整用ナット
２９，３９    ばね
５１，５２，５４，５５，５７，５８，６１    矯正ローラ
６１ａ    Ｖ溝
６２    ベアリング
６２ａ    フランジ
６２ｂ    外周面
６３    ボルト
６４    カラー
６５，６６    矯正ローラ
６５ａ，６６ａ    凹溝
Ｗ，Ｗ’，Ｗ”    電線
【図１】
2007229745.tif 000003
【図２】
2007229745.tif 000004
【図３】
2007229745.tif 000005
【図４】
2007229745.tif 000006
【図５】
2007229745.tif 000007
【図６】
2007229745.tif 000008
【図７】
2007229745.tif 000009
【図８】
2007229745.tif 000010
【図９】
2007229745.tif 000011